(57)【要約】【課題】地図などの表示において、２画面表示の一方のスクロール時に、他方で少し前の表示範囲を一時的に固定表示することにより、優れた操作性を実現する。【解決手段】スクロール中、スクロール量判断部が、スクロール画面に表示されている地図がスクロール処理部によって所定量スクロールされたかを判断し、このように所定量スクロールしたと判断されるまで、スクロール前内容表示部が、記憶部により記憶された範囲の地図を、補助画面に表示する。【選択図】図２
2007079236.tif 000002
【特許請求の範囲】
【請求項１】
表示画面を持つ表示部と、情報処理を行う制御部と、を備えた表示装置であって、
前記表示部に情報を表示する表示手段と、
前記表示画面に、分割された複数の表示領域を設ける分割手段と、
前記分割手段によって分割されたいずれかの前記表示領域を第１の表示領域として、その第１の表示領域に表示された情報をスクロールさせるスクロール処理手段と、
前記スクロール処理手段によってスクロールされる前記第１の表示領域に表示されている情報又はその範囲を、スクロールを開始する際に記憶する記憶手段と、
前記第１の表示領域に表示されている情報が前記スクロール処理手段によって所定量スクロールされたかを判断するスクロール量判断手段と、
前記スクロール量判断手段によって所定量スクロールしたと判断されるまで、前記記憶手段が記憶した範囲の情報を、前記分割手段によって分割された前記表示領域のうち、前記スクロールの対象となっていない第２の表示領域に表示するスクロール前内容表示手段と、
を前記制御部が実現することを特徴とする表示装置。
【請求項２】
情報又は操作の入力を受け付ける入力部と、表示画面を持つ表示部と、情報処理を行う制御部と、を備えた表示装置であって、
前記表示部に情報を表示する表示手段と、
スクロール命令が前記入力部から入力されたかを判断するスクロール命令判断手段と、
前記スクロール命令判断手段によってスクロール命令が入力されたと判断された場合、前記表示画面に、分割された複数の表示領域を設ける分割手段と、
分割されたいずれかの前記表示領域を第１の表示領域として、その第１の表示領域に表示された情報をスクロールさせるスクロール処理手段と、
前記スクロール処理手段によってスクロールされる第１の表示領域に表示されている情報又はその範囲を、スクロールを開始する際に記憶する記憶手段と、
前記第１の表示領域に表示されている情報が前記スクロール処理手段によって所定量スクロールされたかを判断するスクロール量判断手段と、
前記スクロール量判断手段によって所定量スクロールしたと判断されるまで、前記記憶手段が記憶した範囲の情報を前記分割手段によって分割された表示領域のうち、スクロールしない第２の表示領域に表示するスクロール前内容表示手段と、
を前記制御部が実現することを特徴とする表示装置。
【請求項３】
前記所定量は、前記第２の表示領域の、縦、横又は斜め方向のスクロール方向における、約一画面分であることを特徴とする請求項１又は２記載の表示装置。
【請求項４】
前記記憶手段は、前記スクロール量判断手段が所定量スクロールしたと判断した時点で、前記第１の表示領域に表示されている情報により、前記記憶手段が記憶した情報を更新する、情報更新手段を有することを特徴とする請求項１から３のいずれか一項に記載の表示装置。
【請求項５】
分割した前記表示領域のうちどの表示領域を前記第１の表示領域とするのか判断するスクロール領域判断手段を前記制御部により実現し、
前記スクロール領域判断手段で判断した第１の表示領域を前記スクロール処理手段によってスクロールすること
を特徴とする請求項１から４のいずれか一項に記載の表示装置。
【請求項６】
表示画面を持つ表示部と、情報処理を行う制御部と、を備えた表示装置の制御方法であって、
前記表示部に情報を表示する表示処理と、
前記表示画面に、分割された複数の表示領域を設ける分割処理と、
前記分割処理によって分割されたいずれかの前記表示領域を第１の表示領域として、その第１の表示領域に表示された情報をスクロールさせるスクロール処理と、
前記スクロール処理によってスクロールされる前記第１の表示領域に表示されている情報又はその範囲を、スクロールを開始する際に記憶する記憶処理と、
前記第１の表示領域に表示されている情報が前記スクロール処理によって所定量スクロールされたかを判断するスクロール量判断処理と、
前記スクロール量判断処理によって所定量スクロールしたと判断されるまで、前記記憶処理によって記憶した範囲の情報を、前記分割処理によって分割された前記表示領域のうち、前記スクロールの対象となっていない第２の表示領域に表示するスクロール前内容表示処理と、
を前記制御部が実行することを特徴とする表示装置の制御方法。
【請求項７】
情報又は操作の入力を受け付ける入力部と、表示画面を持つ表示部と、情報処理を行う制御部と、を備えた表示装置の制御方法であって、
前記表示部に情報を表示する表示処理と、
スクロール命令が前記入力部から入力されたかを判断するスクロール命令判断処理と、
前記スクロール命令判断処理によってスクロール命令が入力されたと判断された場合、前記表示画面に、分割された複数の表示領域を設ける分割処理と、
分割されたいずれかの前記表示領域を第１の表示領域として、その第１の表示領域に表示された情報をスクロールさせるスクロール処理と、
前記スクロール処理によってスクロールされる第１の表示領域に表示されている情報又はその範囲を、スクロールを開始する際に記憶する記憶処理と、
前記第１の表示領域に表示されている情報が前記スクロール処理によって所定量スクロールされたかを判断するスクロール量判断処理と、
前記スクロール量判断処理によって所定量スクロールしたと判断されるまで、前記記憶手段が記憶した範囲の情報を前記分割処理によって分割された表示領域のうち、スクロールしない第２の表示領域に表示するスクロール前内容表示処理と、
を前記制御部が実行することを特徴とする表示装置の制御方法。
【請求項８】
前記所定量は、前記第２の表示領域の、縦、横又は斜め方向のスクロール方向における、約一画面分であることを特徴とする請求項６又は７記載の表示装置の制御方法。
【請求項９】
前記記憶処理は、前記スクロール量判断処理により所定量スクロールしたと判断された時点で、前記第１の表示領域に表示されている情報により、前記記憶処理により記憶した情報を更新する、情報更新処理を含むことを特徴とする請求項６から８のいずれか一項に記載の表示装置の制御方法。
【請求項１０】
分割した前記表示領域のうちどの表示領域を前記第１の表示領域とするのか判断するスクロール領域判断処理を前記制御部が実行し、
前記スクロール領域判断処理で判断した第１の表示領域を前記スクロール処理によってスクロールすること
を特徴とする請求項６から９のいずれか一項に記載の表示装置の制御方法。
【請求項１１】
表示画面を持つ表示部と、情報処理を行う制御部と、を備えた表示装置の制御プログラムであって、
前記表示部に情報を表示する表示処理と、
前記表示画面に、分割された複数の表示領域を設ける分割処理と、
前記分割処理によって分割されたいずれかの前記表示領域を第１の表示領域として、その第１の表示領域に表示された情報をスクロールさせるスクロール処理と、
前記スクロール処理によってスクロールされる前記第１の表示領域に表示されている情報又はその範囲を、スクロールを開始する際に記憶する記憶処理と、
前記第１の表示領域に表示されている情報が前記スクロール処理によって所定量スクロールされたかを判断するスクロール量判断処理と、
前記スクロール量判断処理によって所定量スクロールしたと判断されるまで、前記記憶処理によって記憶した範囲の情報を、前記分割処理によって分割された前記表示領域のうち、前記スクロールの対象となっていない第２の表示領域に表示するスクロール前内容表示処理と、
を前記制御部に実行させることを特徴とする表示装置の制御プログラム。
【請求項１２】
情報又は操作の入力を受け付ける入力部と、表示画面を持つ表示部と、情報処理を行う制御部と、を備えた表示装置の制御プログラムであって、
前記表示部に情報を表示する表示処理と、
スクロール命令が前記入力部から入力されたかを判断するスクロール命令判断処理と、
前記スクロール命令判断処理によってスクロール命令が入力されたと判断された場合、前記表示画面に、分割された複数の表示領域を設ける分割処理と、
分割されたいずれかの前記表示領域を第１の表示領域として、その第１の表示領域に表示された情報をスクロールさせるスクロール処理と、
前記スクロール処理によってスクロールされる第１の表示領域に表示されている情報又はその範囲を、スクロールを開始する際に記憶する記憶処理と、
前記第１の表示領域に表示されている情報が前記スクロール処理によって所定量スクロールされたかを判断するスクロール量判断処理と、
前記スクロール量判断処理によって所定量スクロールしたと判断されるまで、前記記憶手段が記憶した範囲の情報を前記分割処理によって分割された表示領域のうち、スクロールしない第２の表示領域に表示するスクロール前内容表示処理と、
を前記制御部に実行させることを特徴とする表示装置の制御プログラム。
【請求項１３】
前記所定量は、前記第２の表示領域の、縦、横又は斜め方向のスクロール方向における、約一画面分であることを特徴とする請求項１１又は１２記載の表示装置の制御プログラム。
【請求項１４】
前記記憶処理は、前記スクロール量判断処理により所定量スクロールしたと判断された時点で、前記第１の表示領域に表示されている情報により、前記記憶処理により記憶した情報を更新する、情報更新処理を含むことを特徴とする請求項１１から１３のいずれか一項に記載の表示装置の制御プログラム。
【請求項１５】
分割した前記表示領域のうちどの表示領域を前記第１の表示領域とするのか判断するスクロール領域判断処理を前記制御部に実行させ、
前記スクロール領域判断処理で判断した第１の表示領域を前記スクロール処理によってスクロールすること
を特徴とする請求項１１から１４のいずれか一項に記載の表示装置の制御プログラム。
【請求項１６】
表示画面を持つ表示部と、情報処理を行う制御部と、道路地図データ並びに測位部と、を備え、目的地への経路を案内するナビゲーション装置であって、
前記表示部に地図を表示する表示手段と、
前記表示画面に、分割された複数の表示領域を設ける分割手段と、
前記分割手段によって分割されたいずれかの前記表示領域を第１の表示領域として、その第１の表示領域に表示された地図をスクロールさせるスクロール処理手段と、
前記スクロール処理手段によってスクロールされる前記第１の表示領域に表示されている地図又はその範囲を、スクロールを開始する際に記憶する記憶手段と、
前記第１の表示領域に表示されている地図が前記スクロール処理手段によって所定量スクロールされたかを判断するスクロール量判断手段と、
前記スクロール量判断手段によって所定量スクロールしたと判断されるまで、前記記憶手段が記憶した範囲の地図を、前記分割手段によって分割された前記表示領域のうち、前記スクロールの対象となっていない第２の表示領域に表示するスクロール前内容表示手段と、
を前記制御部が実現することを特徴とするナビゲーション装置。
【請求項１７】
情報又は操作の入力を受け付ける入力部と、表示画面を持つ表示部と、道路地図データ並びに測位部と、情報処理を行う制御部と、を備えたナビゲーション装置であって、
前記表示部に地図を表示する表示手段と、
スクロール命令が前記入力部から入力されたかを判断するスクロール命令判断手段と、
前記スクロール命令判断手段によってスクロール命令が入力されたと判断された場合、前記表示画面に、分割された複数の表示領域を設ける分割手段と、
分割されたいずれかの前記表示領域を第１の表示領域として、その第１の表示領域に表示された地図をスクロールさせるスクロール処理手段と、
前記スクロール処理手段によってスクロールされる第１の表示領域に表示されている地図又はその範囲を、スクロールを開始する際に記憶する記憶手段と、
前記第１の表示領域に表示されている地図が前記スクロール処理手段によって所定量スクロールされたかを判断するスクロール量判断手段と、
前記スクロール量判断手段によって所定量スクロールしたと判断されるまで、前記記憶手段が記憶した範囲の地図を前記分割手段によって分割された表示領域のうち、スクロールしない第２の表示領域に表示するスクロール前内容表示手段と、
を前記制御部が実現することを特徴とするナビゲーション装置。
【請求項１８】
表示画面を持つ表示部と、情報処理を行う制御部と、道路地図データ並びに測位部と、を備え、目的地への経路を案内するナビゲーション装置の制御方法であって、
前記表示部に地図を表示する表示処理と、
前記表示画面に、分割された複数の表示領域を設ける分割処理と、
前記分割処理によって分割されたいずれかの前記表示領域を第１の表示領域として、その第１の表示領域に表示された地図をスクロールさせるスクロール処理と、
前記スクロール処理によってスクロールされる前記第１の表示領域に表示されている地図又はその範囲を、スクロールを開始する際に記憶する記憶処理と、
前記第１の表示領域に表示されている地図が前記スクロール処理によって所定量スクロールされたかを判断するスクロール量判断処理と、
前記スクロール量判断処理によって所定量スクロールしたと判断されるまで、前記記憶処理によって記憶した範囲の地図を、前記分割処理によって分割された前記表示領域のうち、前記スクロールの対象となっていない第２の表示領域に表示するスクロール前内容表示処理と、
を前記制御部が実行することを特徴とするナビゲーション装置の制御方法。
【請求項１９】
情報又は操作の入力を受け付ける入力部と、表示画面を持つ表示部と、道路地図データ並びに測位部と、情報処理を行う制御部と、を備えたナビゲーション装置の制御方法であって、
前記表示部に地図を表示する表示処理と、
スクロール命令が前記入力部から入力されたかを判断するスクロール命令判断処理と、
前記スクロール命令判断処理によってスクロール命令が入力されたと判断された場合、前記表示画面に、分割された複数の表示領域を設ける分割処理と、
分割されたいずれかの前記表示領域を第１の表示領域として、その第１の表示領域に表示された地図をスクロールさせるスクロール処理と、
前記スクロール処理によってスクロールされる第１の表示領域に表示されている地図又はその範囲を、スクロールを開始する際に記憶する記憶処理と、
前記第１の表示領域に表示されている地図が前記スクロール処理によって所定量スクロールされたかを判断するスクロール量判断処理と、
前記スクロール量判断処理によって所定量スクロールしたと判断されるまで、前記記憶処理により記憶した範囲の地図を前記分割処理によって分割された表示領域のうち、スクロールしない第２の表示領域に表示するスクロール前内容表示処理と、
を前記制御部が実行することを特徴とするナビゲーション装置の制御方法。
【発明の詳細な説明】
【技術分野】
【０００１】
本発明は、地図などの表示において、２画面表示の一方のスクロール時に、他方で少し前の表示範囲を一時的に固定表示することにより、優れた操作性を実現する技術に関する。
【背景技術】
【０００２】
近年、各種情報処理技術とともに、自動車に代表される移動体の現在位置や目的地への経路を案内するナビゲーション装置が普及した。ナビゲーション装置は、予め用意した道路地図データに基づき、ＧＰＳなどで得る自車位置を周辺地図上に表示したり、指定される目的地への経路を画面表示や合成音声などで案内するものである。
【０００３】
ナビゲーション装置では、目的地を指定したり、周囲や前途の経路確認などにおいて、表示されている地図をスイッチ操作などのスクロール命令に応じスクロールする機能がある。このようなスクロールの機能は、図面など他の情報を処理する技術分野においても利用される。
【特許文献１】特開２０００−３４９７
【発明の開示】
【発明が解決しようとする課題】
【０００４】
しかし、スクロールにより表示範囲が大きく変わってゆくと、目的地・目標物などを探す場合、途中でどこを表示させているかわからなくなったり、行き過ぎてしまったりして、前に表示した地図等に戻す操作をする場合があるなどの不便があり、操作性の改善が潜在的に切望されていた。表示画面を２分割して詳細地図と広域地図の表示範囲を連動させる例はあったが（例えば特許文献１参照）、表示縮尺の異なる地図の表示により、かえってわかりにくい問題もあった。
【０００５】
本発明は、上記のような従来技術の課題を解決するもので、その目的は、地図などの表示において、２画面表示の一方のスクロール時に、他方で少し前の表示範囲を一時的に固定表示することにより、優れた操作性を実現することである。
【課題を解決するための手段】
【０００６】
上記の課題を、本発明は以下のように解決する。なお、方法及び制御プログラムでは、「手段」及び「処理手段」は「処理」と読み替え、「実現」は「実行」と読み替える。
【０００７】
まず、本発明の一態様では（請求項１、６、１１）、表示画面を持つ表示部と、情報処理を行う制御部と、を備えた表示装置（その制御方法、制御プログラム）において、前記表示部に情報を表示する表示手段と、前記表示画面に、分割された複数の表示領域を設ける分割手段と、前記分割手段によって分割されたいずれかの前記表示領域を第１の表示領域として、その第１の表示領域に表示された情報をスクロールさせるスクロール処理手段と、前記スクロール処理手段によってスクロールされる前記第１の表示領域に表示されている情報又はその範囲を、スクロールを開始する際に記憶する記憶手段と、前記第１の表示領域に表示されている情報が前記スクロール処理手段によって所定量スクロールされたかを判断するスクロール量判断手段と、前記スクロール量判断手段によって所定量スクロールしたと判断されるまで、前記記憶手段が記憶した範囲の情報を、前記分割手段によって分割された前記表示領域のうち、前記スクロールの対象となっていない第２の表示領域に表示するスクロール前内容表示手段と、を前記制御部が実現することを特徴とする。
【０００８】
本発明の他の態様は（請求項１６、１８）、表示画面を持つ表示部と、情報処理を行う制御部と、道路地図データ並びに測位部と、を備え、目的地への経路を案内するナビゲーション装置（その制御方法）において、前記表示部に地図を表示する表示手段と、前記表示画面に、分割された複数の表示領域を設ける分割手段と、前記分割手段によって分割されたいずれかの前記表示領域を第１の表示領域として、その第１の表示領域に表示された地図をスクロールさせるスクロール処理手段と、前記スクロール処理手段によってスクロールされる前記第１の表示領域に表示されている地図又はその範囲を、スクロールを開始する際に記憶する記憶手段と、前記第１の表示領域に表示されている地図が前記スクロール処理手段によって所定量スクロールされたかを判断するスクロール量判断手段と、前記スクロール量判断手段によって所定量スクロールしたと判断されるまで、前記記憶手段が記憶した範囲の地図を、前記分割手段によって分割された前記表示領域のうち、前記スクロールの対象となっていない第２の表示領域に表示するスクロール前内容表示手段と、を前記制御部が実現することを特徴とする。
【０００９】
このように、地図などの表示において、２画面表示の一方のスクロール時に、他方で少し前の表示範囲を一時的に固定表示することにより、現在の表示範囲の認識、ナビゲーション地図での目的地や施設など探したい対象の確認や、その他の操作を正確・容易に行うことが可能となる。
【００１０】
本発明の他の態様は（請求項２、７，１２）、情報又は操作の入力を受け付ける入力部と、表示画面を持つ表示部と、情報処理を行う制御部と、を備えた表示装置（その制御方法、制御プログラム）において、前記表示部に情報を表示する表示手段と、スクロール命令が前記入力部から入力されたかを判断するスクロール命令判断手段と、前記スクロール命令判断手段によってスクロール命令が入力されたと判断された場合、前記表示画面に、分割された複数の表示領域を設ける分割手段と、分割されたいずれかの前記表示領域を第１の表示領域として、その第１の表示領域に表示された情報をスクロールさせるスクロール処理手段と、前記スクロール処理手段によってスクロールされる第１の表示領域に表示されている情報又はその範囲を、スクロールを開始する際に記憶する記憶手段と、前記第１の表示領域に表示されている情報が前記スクロール処理手段によって所定量スクロールされたかを判断するスクロール量判断手段と、前記スクロール量判断手段によって所定量スクロールしたと判断されるまで、前記記憶手段が記憶した範囲の情報を前記分割手段によって分割された表示領域のうち、スクロールしない第２の表示領域に表示するスクロール前内容表示手段と、を前記制御部が実現することを特徴とする。
【００１１】
本発明の他の態様は（請求項１７、１９）、情報又は操作の入力を受け付ける入力部と、表示画面を持つ表示部と、道路地図データ並びに測位部と、情報処理を行う制御部と、を備えたナビゲーション装置（その制御方法）において、前記表示部に地図を表示する表示手段と、スクロール命令が前記入力部から入力されたかを判断するスクロール命令判断手段と、前記スクロール命令判断手段によってスクロール命令が入力されたと判断された場合、前記表示画面に、分割された複数の表示領域を設ける分割手段と、分割されたいずれかの前記表示領域を第１の表示領域として、その第１の表示領域に表示された地図をスクロールさせるスクロール処理手段と、前記スクロール処理手段によってスクロールされる第１の表示領域に表示されている地図又はその範囲を、スクロールを開始する際に記憶する記憶手段と、前記第１の表示領域に表示されている地図が前記スクロール処理手段によって所定量スクロールされたかを判断するスクロール量判断手段と、前記スクロール量判断手段によって所定量スクロールしたと判断されるまで、前記記憶手段が記憶した範囲の地図を前記分割手段によって分割された表示領域のうち、スクロールしない第２の表示領域に表示するスクロール前内容表示手段と、を前記制御部が実現することを特徴とする。
【００１２】
このように、前記作用効果とともに、画面の複数への分割を、スクロール命令の際に自動的に行うことにより、少ない操作で優れた操作性が容易に実現できる。
【００１３】
本発明の他の態様は（請求項３、８、１３）、上記各態様において、前記所定量は、前記第２の表示領域の、縦、横又は斜め方向のスクロール方向における、約一画面分であることを特徴とする。
【００１４】
このように、一方の画面のスクロール時に、約一画面分前の範囲ごとに他方の画面に暫時表示することにより、見易さが改善できる。
【００１５】
本発明の他の態様は（請求項４、９、１４）、上記各態様において、前記記憶手段は、前記スクロール量判断手段が所定量スクロールしたと判断した時点で、前記第１の表示領域に表示されている情報により、前記記憶手段が記憶した情報を更新する、情報更新手段を有することを特徴とする。
【００１６】
このように、所定量のスクロールごとに、その表示情報を更新記憶することにより、他方の画面で少し前の内容を容易に暫時表示することができる。
【００１７】
本発明の他の態様は（請求項５、１０、１５）、上記各態様において、分割した前記表示領域のうちどの表示領域を前記第１の表示領域とするのか判断するスクロール領域判断手段を前記制御部により実現し、前記スクロール領域判断手段で判断した第１の表示領域を前記スクロール処理手段によってスクロールすることを特徴とする。
【００１８】
このように、分割された複数の表示領域のうち、どれをスクロールするか切換可能とすることにより、状況や好みに応じたきめ細かな使い勝手が実現できる。
【発明の効果】
【００１９】
以上のように、本発明によれば、地図などの表示において、２画面表示の一方のスクロール時に、他方で少し前の表示範囲を一時的に固定表示することにより、優れた操作性を実現することが可能となる。
【発明を実施するための最良の形態】
【００２０】
次に、本発明を実施するための最良の実施形態について、図面を参照して説明する。なお、背景技術や課題での説明と共通の前提事項は繰り返さない。
【００２１】
〔１．構成〕
本実施形態は、目的地への経路を案内するナビゲーション装置（以下「本装置」と呼ぶ）を説明するもので、その制御方法、制御プログラムとしても把握可能であり、本装置の構成を図１に示す。
【００２２】
すなわち、１は、ＶＩＣＳ情報を取得する為のＦＭ多重受信及び処理部、２は、ＶＩＣＳ情報を取得する為のビーコン受信及び処理部である。３は、システム全体の制御を司るメインＣＰＵ及びその周辺回路であり、本装置各部の制御を含む情報処理を行う制御部である。４は、メインプログラムをロードする為のダイナミックＲＡＭ（ＤＲＡＭ）、５は、メイン電源オフの間も設定などメモリ内容を保持するためのバッテリーバックアップ付スタティックＲＡＭ（ＳＲＡＭ）、６は、起動時等に制御部３よりアクセスされるＲＯＭである。
【００２３】
７は、地図などの情報を表示する表示部で、液晶表示パネルなどの表示画面を持つ。８は、表示部７用に設けられたビデオＲＡＭ（ＶＲＡＭ）である。９は、ＴＶ（各種のテレビジョン放送）を受信する為のＴＶ受信及び処理部、１０は、イルミネーション（計器盤等の照明）・車速パルス・パーキング等の動作や状態を検出する車両情報取得部である。
【００２４】
記憶装置１１は、ＨＤＤ、ＤＶＤ−ＲＯＭ、ＣＤ−ＲＯＭなどのドライブを用いて、道路地図データ（典型的には、経路探索用データや地図表示用データ）・その他の検索データや地図関連データなどを記録する地図データ記憶手段である。
【００２５】
１２は、情報や操作の入力を受け付ける入力部で、タッチキーなどからの入力を検出する制御装置であるが、入力部の構成や種類は自由で、表示部７周囲の操作スイッチ類のほか、リモコンユニット、表示パネルと一体のタッチセンサなどを単独、又は自由に組み合わせて用いればよい。１５は、測位技術（例えば、ＧＰＳレシーバ、ジャイロ、地磁気センサ、加速度センサ、車速パルス）により、現在位置、方位、速度など自車の挙動に関する航法情報を得る測位部である。
【００２６】
また、制御部３は、所定の制御プログラムにより、以下のような機能・作用に対応する処理手段（図１に示す３０、３１…）を実現・実行する。なお、従来と共通のナビゲーション処理（例えば、目的地の指定受付、自車位置の管理、経路探索、誘導案内出力など）は、本発明特有の要素ではないので、ナビゲーション部３０として示し、詳細は省略する。
【００２７】
〔２．作用効果〕
〔２−１．概略〕
本実施形態では、表示部３１（表示手段）が、表示部７に地図を表示するが（表示処理）と、分割部３２（分割手段）が、前記表示画面に、分割された複数の表示領域を設ける（分割処理）。このように分割されたいずれかの前記表示領域を、スクロール対象となる第１の表示領域（ここでは、図２左側の矩形部分）とし、スクロール画面と呼ぶ。また、分割された前記表示領域のうち、前記スクロールの対象となっていない第２の表示領域（ここでは、図２右側の矩形部分）を補助画面と呼ぶ。
【００２８】
前者のスクロール画面に表示された地図をスクロール処理部３４（スクロール処理手段）がスクロールさせるが（スクロール処理）、このようにスクロール画面に表示されている地図又はその範囲を、記憶部３５（記憶手段）が、スクロールを開始する際にメモリなどに記憶する（記憶処理）。
【００２９】
スクロール中、スクロール量判断部３６（スクロール量判断手段）が、スクロール画面に表示されている地図がスクロール処理部３４によって所定量スクロールされたかを判断し（スクロール量判断処理）、このように所定量スクロールしたと判断されるまで、スクロール前内容表示部３７（スクロール前内容表示手段）が、記憶部３５により記憶された範囲の地図を、前記補助画面に表示する（スクロール前内容表示処理）。
【００３０】
このように、地図などの表示において、２画面表示の一方のスクロール時に、他方で少し前の表示範囲を一時的に固定表示することにより、現在の表示範囲の認識、ナビゲーション地図での目的地や施設など探したい対象の確認や、その他の操作を正確・容易に行うことが可能となる。
【００３１】
〔２−２．自動画面分割〕
なお、スクロール命令（方向キー操作など）が入力部１２から入力されたかをスクロール命令判断部３３（スクロール命令判断手段）が判断し（スクロール命令判断処理）、スクロール命令が入力されたと判断した場合に、分割部３２が前記表示画面に、分割された複数の表示領域を設けるようにしてもよい。このように、画面の複数への分割を、スクロール命令の際に自動的に行うことにより、少ない操作で優れた操作性が容易に実現できる。
【００３２】
〔２−３．所定量〕
また、上記処理の基準となる前記「所定量」は、補助領域の、縦、横又は斜め方向のスクロール方向における、約一画面分が望ましい。このように、スクロール画面のスクロール時に、約一画面分前の範囲ごとに補助画面に暫時表示することにより、見易さが改善できる。
【００３３】
〔２−４．記憶の更新〕
また、記憶部３５の情報更新部３８（情報更新手段）が、スクロール量判断部３６が所定量スクロールしたと判断した時点ごとに、スクロール画面に表示されている情報により、記憶部３５が記憶した情報を更新（情報更新処理）するようにしてもよい。このように、所定量のスクロールごとに、その表示情報を更新記憶することにより、他方の画面で少し前の内容を容易に暫時表示することができる。
【００３４】
〔２−５．スクロール画面の切換〕
分割された複数の画面領域のうち、どれをスクロールするかは、スクロールの開始時に選択したり、途中で切換可能としてもよい。例えば、図２の例で、任意に設定する所定の操作によりスクロール対象を切り換え、それまで補助画面だった右側画面のスクロールを開始すると、右側がスクロール画面となり、今までスクロール画面だった左側画面が補助画面となって、所定量（１画面分）前の固定表示を担当する状態となる。
【００３５】
この場合、スクロール領域判断部３９（スクロール領域判断手段）が、分割した前記表示領域のうちどの表示領域を前記第１の表示領域（スクロール画面）とするのかを、入力部１２からの操作入力などに基づき判断し（スクロール領域判断処理）、このように判断したスクロール画面（第１の表示領域）をスクロール処理部３４によってスクロールする。このように、分割された複数の表示領域のうち、どれをスクロールするか切換可能とすることにより、状況や好みに応じたきめ細かな使い勝手が実現できる。
【００３６】
〔３．画面表示例〕
図２は、以上のような作用効果に対応する例を時系列に示したもので、左右２画面並べた分割表示のなかから、ユーザにどちらをスクロールするか選択させることも可能である。図２の例では、左側をスクロール画面とし、現在スクロール中の地図範囲を表示する。他方（ここでは右側）は補助画面とし、スクロール画面より１画面分遅れた範囲を表示する。すなわち、スクロール開始時は、左右ともに同じ地図範囲を表示していて（図２（イ））、スクロール画面が１画面分スクロールするまでは補助画面は不変である（図２（ロ））。スクロール画面のスクロール量が１画面分に達すると補助画面が１画面遅れた範囲に変わり（図２（ハ））、この動作を繰り返す（図２（ニ））。
【００３７】
〔４．フローチャートの例〕
また、以上のような作用効果を実現する処理手順の一例を図３のフローチャートに示す。すなわち、本発明のスクロール処理を行う設定がＯＮのときに（ステップ０１）、スクロールを開始すると（ステップ０２）、既に画面が分割されて２画面表示になっているか判断し（ステップ０３）、まだであれば、画面を２分割し、スクロールする画面（スクロール画面）と、スクロールする画面でスクロールした所定量分前の内容を表示する画面（補助画面）に分割表示し、当初は同じ内容の地図を表示する（ステップ０４）。
【００３８】
そして、スクロール指示をした画面がどの画面か（例えば図２左側のスクロールが面）判断し（ステップ０５）、スクロール指示された画面のスクロール処理を行い（ステップ０６）、スクロール指示された画面が所定量スクロールするごとに（ステップ０７）、スクロールする画面でスクロールされた内容の所定量分前の内容を表示する画面（上記の補助画面）に、スクロール指示された画面でスクロールした内容の所定量分前の内容を表示する（ステップ０８）。
【００３９】
なお、スクロール中に手を離す等してスクロールを中止すると（ステップ０９）、左右が１画面分ずれた分割表示の状態となるが、この中止状態で画面上の施設を選択したり他の検索処理を行うなど、他の処理を開始すると（ステップ１０）、分割表示は解除となり、この処理手順は終了する。もちろん、既に説明したように、スクロール途中でスクロール画面（例えば図２左側）と補助画面（例えば図２右側）を逆転可能としてもよい。
【００４０】
〔５．他の実施形態〕
なお、本発明は上記実施形態に限定されるものではなく、以下に例示するもの及びそれ以外の他の実施形態も含むものである。例えば、本発明は上記「地図」に限らず情報全般を扱う表示装置や、その制御方法、制御プログラムとしても把握可能であり、この場合、道路地図データや測位部は省略可能である。
【図面の簡単な説明】
【００４１】
【図１】本発明の実施形態の構成を示す機能ブロック図。
【図２】本発明の実施形態における画面表示例を示す概念図。
【図３】本発明の実施形態における処理手順を例示するフローチャート。
【符号の説明】
【００４２】
１…ＦＭ多重受信及び処理部
２…ビーコン受信及び処理部
３…制御部（メインＣＰＵ及びその周辺回路）
４…ダイナミックＲＡＭ（ＤＲＡＭ）
５…スタティックＲＡＭ（ＳＲＡＭ）
６…ＲＯＭ
７…表示部
８…ビデオＲＡＭ（ＶＲＡＭ）
９…ＴＶ受信及び処理部
１０…車両情報取得部
１１…地図データ・検索データ及び地図関連データの記憶装置
１２…入力部（タッチキー制御装置）
３０…ナビゲーション部
３１…表示部
３２…分割部
３３…スクロール命令判断部
３４…スクロール処理部
３５…記憶部
３６…スクロール量判断部
３７…スクロール前内容表示部
３８…情報更新部
３９…スクロール領域判断部
Ｓ〜…手順の各ステップ
【図１】
2007079236.tif 000003
【図２】
2007079236.tif 000004
【図３】
2007079236.tif 000005